(57)【要約】【課題】  簡単な構成で水平材を強固に支持することができ、且つ、簡単な操作で非常用進入口を確保することができる進入口付きルーバ構造を提供する。【解決手段】進入口付きルーバ構造は、建築物の外壁を複数階に亘って窪ませた凹部と、前記凹部の奥側の壁面に設けられ、非常時に進入口となる開口部と、前記凹部の対向する両側の壁面に端部が接合し、高さ方向に並べて配置される複数の水平材からなるルーバと、を備えた進入口付きルーバ構造であって、前記水平材のうち前記開口部と同じ高さに設けられた進入部水平材は、その一端が前記両側の壁面のうち一方の壁面に所定の接合手段により着脱可能に接合するとともに、その他端が他方の壁面に取り付けられた水平軸に対して揺動可能に固定される。【選択図】図９
2018031228.tif 000002
【特許請求の範囲】
【請求項１】
建築物の外壁を複数階に亘って窪ませた凹部と、
前記凹部の奥側の壁面に設けられ、非常時に進入口となる開口部と、
前記凹部の対向する両側の壁面に端部が接合し、高さ方向に並べて配置される複数の水平材からなるルーバと、を備えた進入口付きルーバ構造であって、
前記水平材のうち前記開口部と同じ高さに設けられた進入部水平材は、その一端が前記両側の壁面のうち一方の壁面に所定の接合手段により着脱可能に接合するとともに、その他端が他方の壁面に取り付けられた水平軸に対して揺動可能に取り付けられたことを特徴とする進入口付きルーバ構造。
【請求項２】
前記進入部水平材の他端は前記他方の外壁の水平軸に揺動可能に取り付けられた状態から取り外し可能であることを特徴とする請求項１に記載の進入口付きルーバ構造。
【請求項３】
前記水平軸は工具を使用せずにトルクを開放できるレバーを有するトルク開放型締結具であることを特徴とする請求項２に記載の進入口付きルーバ構造。
【請求項４】
前記所定の接合手段は工具を使用せずにトルクを開放できるレバーを有するトルク開放型締結具であることを特徴とする請求項１から請求項３に記載の進入口付きルーバ構造。
【請求項５】
前記水平材は、内側にプランターを載置可能な受け部と、上部が開放されており前記受け部を覆うプランタカバーと、を含むことを特徴とする請求項１から請求項４のいずれかに記載の進入口付きルーバ構造。
【発明の詳細な説明】
【技術分野】
【０００１】
本発明は、主として３階建て以上の建築物に設けられ、非常時に消防などが進入することを可能とする進入口付きルーバ構造に関する。
【背景技術】
【０００２】
３階建て以上の建築物では、非常時において建築物の外側から建築物の屋内に進入するための進入口を確保することが義務付けられており、所定の要件を満たす窓などの開口部が進入口として配置される。このような進入口は、非常時に進入することができる開口で無ければならないので、原則的には進入を阻む格子などが進入口の屋外側に配置されていてはならない。
【０００３】
一方、建築物の意匠性や、遮光と通風の両立、隣接建築物からの視線を遮るなどの目的で建築物の開口部にルーバ格子を利用したものが用いられている。そして、非常用進入口となる開口部においても上述のような目的からルーバ格子を設けたいとする要求があった。
【０００４】
そこで、非常用進入口となる開口部にルーバ格子を設ける技術として、ルーバ格子の桟同士をＷ字状の伸縮リンク機構によって連結し、この伸縮リンク機構の曲げ伸ばしによって桟同士を接近又は離反させることで、ルーバ格子全体を伸縮可能とするもの（特許文献１及び２参照）や、ルーバ格子の桟の両端にレールを設けて、桟をこのレールに従って摺動させることによって桟同士を接近離反させるもの（特許文献３参照）が挙げられる。これらの構成によると、ルーバ格子の桟を一箇所に寄せることで、非常時に進入できる大きさの開口を確保することができる。
【先行技術文献】
【特許文献】
【０００５】
【特許文献１】特開平１１−１７２０８０号公報
【特許文献２】特開２００８−８００５号公報
【特許文献３】特開２００８−２６６９９７号公報
【発明の概要】
【発明が解決しようとする課題】
【０００６】
しかし、上述のような従来技術の構成は桟を移動させるレールや桟同士を接近離反させるＷ字状の伸縮リンク機構を必要とするものであるので、これらのレールや伸縮リンク機構が邪魔になって意匠性を向上させることが難しく、また、構造が複雑になりやすいので、例えば桟に大きな荷重が加わるような場合には、破損や故障のおそれもある。
【０００７】
そこで本発明は、簡単な構成で水平材を強固に支持することができ、且つ、簡単な操作で非常用進入口を確保することができる進入口付きルーバ構造を提供することを目的とする。
【課題を解決するための手段】
【０００８】
本発明の第１の進入口付きルーバ構造は、建築物の外壁を複数階に亘って窪ませた凹部と、前記凹部の奥側の壁面に設けられ、非常時に進入口となる開口部と、前記凹部の対向する両側の壁面に端部が接合し、高さ方向に並べて配置される複数の水平材からなるルーバと、を備えた進入口付きルーバ構造であって、前記水平材のうち前記開口部と同じ高さに設けられた進入部水平材は、その一端が前記両側の壁面のうち一方の壁面に所定の接合手段により着脱可能に接合するとともに、その他端が他方の壁面に取り付けられた水平軸に対して揺動可能に取り付けられることを特徴としている。
【０００９】
本発明の第２の進入口付きルーバ構造は、前記進入部水平材の他端は前記他方の外壁の水平軸に揺動可能に取り付けられた状態から取り外し可能であることを特徴としている。
【００１０】
本発明の第３の進入口付きルーバ構造は、前記水平軸は工具を使用せずにトルクを開放できるレバーを有するトルク開放型締結具であることを特徴としている。
【００１１】
本発明の第４の進入口付きルーバ構造は、前記所定の接合手段は工具を使用せずにトルクを開放できるレバーを有するトルク開放型締結具であることを特徴としている。
【００１２】
本発明の第５の進入口付きルーバ構造は、前記水平材は、内側にプランターを載置可能な受け部と、上部が開放されており前記受け部を覆うプランタカバーと、を含むことを特徴としている。
【発明の効果】
【００１３】
第１の進入口付きルーバ構造は、建築物の外壁を複数階に亘って窪ませた凹部に設けられるものである。そして凹部の奥側の壁面には非常時に進入口となる開口部が設けられる。また、複数の水平材がその端部を凹部の対向する両側の壁面に接合するように、高さ方向に並べて配置されて、ルーバを構成している。そして、水平材のうち開口部と同じ高さに設けられた進入部水平材は、その一端が両側の壁面のうち一方の壁面に所定の接合手段により着脱可能に接合するとともに、その他端が他方の壁面に取り付けられた水平軸に対して揺動可能に取り付けられるので、進入部水平材の一端を一方の壁面から離脱させると、進入部水平材の一端側が自重によって下方に移動して、進入部水平材が傾斜した状態となることで、非常用進入口を確保することができる。このように、進入部水平材の一端を離脱させて、水平軸を中心に回転させるだけで非常用進入口を確保することができるので、ルーバ自体を伸縮させる構成や水平材を摺動させる構成などのような複雑な構成が必要なく、比較的簡単な構成で水平材を強固に支持することができ、且つ、簡単な操作で非常用進入口を確保することができる。
【００１４】
本発明の第２の進入口付きルーバ構造によると、進入部水平材の他端は他方の外壁の水平軸に揺動可能に取り付けされた状態から取り外し可能であるので、進入部水平材の一端を一方の壁面から離脱させて進入部水平材を傾斜させた状態から、進入部水平材の他端を他方の壁面から離脱させることにより進入部水平材を完全に取り除くことができ、より大きな非常用進入口を確保することができる。
【００１５】
本発明の第３の進入口付きルーバ構造によると、水平軸は工具を使用せずにトルクを開放できるレバーを有するトルク開放型締結具であるので、非常時にきわめて簡単に水平軸を緩めて進入部水平材の他端を他方の壁面から離脱させることができ、より簡単に非常用進入口を大きくすることができる。
【００１６】
本発明の第４の進入口付きルーバ構造によると、所定の接合手段は工具を使用せずにトルクを開放できるレバーを有するトルク開放型締結具であるので、非常時にきわめて簡単に進入部水平材の一端を一方の壁面から離脱させることができ、より簡単に非常用進入口を確保することができる。
【００１７】
本発明の第５の進入口付きルーバ構造によると、水平材は、内側にプランターを載置可能な受け部と、上部が開放されており受け部を覆うプランタカバーと、を含むので、水平材の上に植栽が植わったプランタを載置することで、開口部を緑化させて日光の遮蔽させることができ、また開口部の目隠しや通風の際に植栽を通過したより涼しい風を屋内に取り入れることができる。
【図面の簡単な説明】
【００１８】
【図１】進入口付きルーバ構造を備えた住宅の外観構成を示す図。
【図２】進入口付きルーバ構造の構成を示すプランタカバーを省略した水平断面図。
【図３】進入口付きルーバ構造の構成を示す鉛直断面図。
【図４】左右両側の壁面から突出する支持片に水平材を取り付ける状態を説明する一部省略水平断面図。
【図５】トルク解放レバー付きボルトおよびナットの機能を説明する図。
【図６】支持片に固定される水平材の構成を説明する鉛直断面図。
【図７】水平材の受け部にプランタを載置した状態を示す図。
【図８】図７のＡ−Ａ端面図。
【図９】左右両側の壁面から支持片が突出する状態を説明する図。
【図１０】支持片に端部固定アングルを接合した状態を示す図。
【図１１】端部固定アングルに受け部を接合した状態を示す図。
【図１２】支持片及び水平材の接合部分の変形例として、トルク解放レバー付きボルト及びナットに変えてボルト及び蝶ナットを用いた例を示す図。
【図１３】非常時に支持片と端部固定アングルとを接合している水平軸以外の３つのナットおよびトルク解放レバー付きボルトを取り外し、受け部の固定側プレートと可動側プレートの接合を解除した状態を説明する図。
【図１４】水平軸となるトルク解放レバー付きボルトを軸として、右側の端部固定アングルと受け部とが傾斜する状態を示す図。
【図１５】上下方向に隣接する４つの進入部水平材を傾斜させた状態を説明する図。
【図１６】水平軸と成っているトルク解放レバー付きボルトを取り外して左右両側の壁面から進入部水平材を完全に取り外した状態を説明する図。
【発明を実施するための形態】
【００１９】
以下、本発明に係る進入口付きルーバ構造１の最良の実施形態について各図を参照しつつ説明する。進入口付きルーバ構造１は、図１に示すように、３階建て以上の非常用進入口が必要な建築物２に設置される。建築物２の外壁には少なくとも３階以上の階を含む複数階に亘って窪ませた凹部３が設けられている。本実施形態においては、５階建ての住宅の２階から５階に亘って凹部３がが形成されている。凹部３は、壁面の一部を後退させて奥側の壁面Ｗ１と左右両側の壁面Ｗ２，Ｗ３とで凹状に形成している。
【００２０】
凹部３の奥側の壁面Ｗ１には、図２及び図３に示すように、引き違い窓の開口部４が設けられている。開口部４は、少なくとも直径１ｍの円が内接できる大きさを有しており、非常時には消防が屋内に進入する為の非常用進入口となることができる大きさである。なお、図２においては図示の都合上、プランタカバー１１及び端部覆いカバー１２の記載を省略している。
【００２１】
凹部３の互いに対向する左右両側の壁面Ｗ２，Ｗ３には図２及び図９に示すように、支持片５が突出している。支持片５は凹部３の上端から下端に亘って５１６ｍｍのスパンで複数突出している。支持片５は図９に示すように、壁面Ｗ２，Ｗ３から突出する部分が矩形に形成された金属板状であり、図示しないが壁面Ｗ２，Ｗ３の屋内側の建築物２の躯体に支持されている。支持片５の壁面Ｗ２，Ｗ３から突出する金属板部分は、両側の壁面Ｗ２，Ｗ３に直交し奥側の壁面Ｗ１に平行に配置されている。支持片５には、４つの貫通孔５ａがそれぞれ設けられており、水平材６の両端をそれぞれ締結手段によって接合している。
【００２２】
水平材６のうち、開口部４と同じ高さに設けられた進入部水平材７は、図４、図６に示すように、両端に形成されて、左右それぞれの支持片５にそれぞれ２つずつ固定される端部固定アングル８と、端部固定アングル８に架設され、プランター１０を受ける２本の受け部９とを有している。なお、図４においては図示の都合上、プランタカバー１１及び端部覆いカバー１２の記載を省略している。端部固定アングル８は、鉛直部８０が支持片５を挟むように配置されて固定されており、鉛直部８０の下端から水平に伸びる水平部８１が互いに離反する方向に延びて形成されている。左右両側の壁面Ｗ２，Ｗ３のうち、図４および図１０において左側の壁面Ｗ２から突出する支持片５には端部固定アングル８がボルト１３およびナット１４で締結して固定されている。一方、右側の壁面Ｗ３から突出する支持片５には、端部固定アングル８がナット１５およびトルク解放レバー付きボルト１６によって固定されている。
【００２３】
図５に示すようにトルク解放レバー付きボルト１６は、偏心カムが形成されたレバーを倒すことで当該ボルト１６とナット１５とを締結しているトルクを高めるとともに、当該レバーを立てることでボルト１６とナット１５との締結を緩めることができるものである。このようにトルク解放レバー付きボルト１６とナット１５とで端部固定アングル８を右側の壁面Ｗ３から突出する支持片５に固定することで、レンチなどの工具を使用せずにトルク解放レバーを操作することで端部固定アングル８を支持片５から離脱させることができる。
【００２４】
受け部９は、互いに間隔を開けて平行に架設される２本のアングルであり、鉛直な起立部９３と、起立部９３の下端から水平方向に互いに接近する方向に延びる底部９４とを有している。図６に示すように、端部固定アングル８の水平部８１の上に受け部９の底部９４の先端がボルト１７およびナット１８で固定されている。図８に示すように、２本の受け部９の底部９４には植栽が植えられたプランター１０が載置される。２本の受け部９は互いに間隔を開けて配置されているので、プランター１０はその底面の屋外側及び屋内側の角部のみが受け部９の底部９４に載置されており、プランター１０の底面の屋内外方向の中間部は、下方向に解放されている。
【００２５】
図４、図６および図１１に示すように、受け部９は左側の端部固定アングル８に固定される固定受け部９１と、固定受け部９１に固定される可動受け部９２とに分離可能に構成されている。固定受け部９１は、進入部水平材７の長さ方向の長さが端部固定アングル８とほぼ同じ長さに形成されており、固定受け部９１の可動受け部９２に近接する端部に固定孔が形成された固定側プレート９５が固定されている。また、可動受け部９２の固定受け部９１に近接する端部にも固定孔が形成された可動側プレート９６が固定されている。固定側プレート９５と可動側プレート９６とは、ナット１９およびトルク解放レバー付きボルト２０によって互いに固定されている。
【００２６】
受け部９の起立部９３の両端にはそれぞれ、プランタカバー固定プレートがボルトおよびナットによって固定されている。プランタカバー１１は、受け部９を覆うように受け部９よりも水平方向に長く形成されており、上部が解放され、下部から側部が湾曲するように形成されている。プランタカバー１１の両端にはプランタカバー１１の上部を覆う端部覆いカバー１２が形成されている。プランタカバー１１の下部から側部が湾曲するように形成されていることで、図８に示すように、プランター１０に植わった植栽は、当該プランター１０の上に設けられているプランタカバー１１によって、上向きで、且つ、屋外及び屋内方向に向かってのびるので、屋外側の下方から見た場合に植栽が大きく見えて、意匠性が向上するとともに視線をより一層遮る効果がある。このように水平材６の受け部９に植栽が植わったプランター１０を載置することで、開口部４を緑化させて日光の遮蔽させることができ、また開口部４の目隠しや通風の際に植栽を通過したより涼しい風を屋内に取り入れることができる。なお、進入部水平材７には、植栽が植わったプランター１０を載置することに変えて、造花などを載置してもよい。このようにすると植栽を載置する場合に比べて重量を軽くできるので、非常用進入口を確保する際により簡単に操作することができる。
【００２７】
なお、本実施形態においては、図１１に示すように、右側の壁面Ｗ３から突出する支持片５には、端部固定アングル８がナット１５およびトルク解放レバー付きボルト１６によって固定されており、受け部９の固定側プレート９５と可動側プレート９６もナット１９およびトルク解放レバー付きボルト２０によって互いに固定されている。このようにトルク解放レバー付きボルト１６，２０とナット１５，１９とで、接合することにより、工具を用いることなく簡単にボルト１６，２０とナット１５，１９との結合を緩めることができ、非常用進入口の確保を容易にすることができるものであるが、これに限定されるものではない。
【００２８】
例えば、図１２に示すように、右側の壁面Ｗ３から突出する支持片５と端部固定アングル８との接合はナット１５およびトルク解放レバー付きボルト１６に変えてボルト１６ａと蝶ナット１５ａとで接合するものであってもよい。また、受け部９の固定側プレート９５と可動側プレート９６との接合もボルト２０ａと蝶ナット１９ａとで接合するものであってもよい。蝶ナット１５ａ，１９ａが工具を用いずに緩めることができる程度にボルト１６ａ，２０ａに締め付けられていれば、非常時に非常用進入口を確保することができる。
【００２９】
このように構成された進入口付きルーバ構造１は、非常時には、まず、進入部水平材７に載置されているプランター１０を移動させて、図１３に示すように、右側の壁面Ｗ３から突出する支持片５に端部固定アングル８を固定する４つのナット１５およびトルク解放レバー付きボルト１６のうち、３つのナット１５およびトルク解放レバー付きボルト１６を取り外す。このときトルク解放レバーを引き起こして、ナット１５とボルト１６との締め付けトルクを解放することでレンチなどの工具を用いることなく簡単にナット１５及びトルク解放レバー付きボルト１６を取り外すことができる。なお、ここで残った１つのナット１５及びトルク解放レバー付きボルト１６が本発明における「水平軸」となる。
【００３０】
そして次に、受け部９の固定側プレート９５と可動側プレート９６を接合しているナット１９およびトルク解放レバー付きボルト２０を取り外す。上述の右側の壁面Ｗ３から突出する支持片５と端部固定アングル８との接合と同様に、トルク解放レバーを引き起こして、ナットとボルトとの締め付けトルクを解放することでレンチなどの工具を用いることなく簡単にナット１９及びトルク解放レバー付きボルト２０を取り外すことができる。なお、ここで受け部９の固定側プレート９５と可動側プレート９６を接合しているナット１９およびトルク解放レバー付きボルト２０は、本発明に置ける「所定の接合手段」に相当する。
【００３１】
以上のようにして、右側の壁面Ｗ３から突出する支持片５と端部固定アングル８とを接合している４つのナット１５およびトルク解放レバー付きボルト１６のうち、水平軸となるナット１５およびトルク解放レバー付きボルト１６を除いた３つのナット１５およびトルク解放レバー付きボルト１６を取り外し、受け部９の固定側プレート９５と可動側プレート９６の接合を解除すると、図１４に示すように、進入部水平材７の自重によって、水平軸のトルク解放レバー付きボルト１６を軸として、右側の端部固定アングル８と受け部９とが傾斜するように回転する。
【００３２】
同様の操作を繰り返して、図１５に示すように、上下方向に隣接する４つの進入部水平材７を傾斜させると直径１ｍの円が内接できる大きさの非常用進入口を確保することができる。これによって法律上の非常用進入口を確保することができるが、更に大きな進入口が必要な場合には、図１６に示すように水平軸と成っているトルク解放レバー付きボルト１６を取り外して左右両側の壁面Ｗ２，Ｗ３から進入部水平材７を完全に取り外すことができる。右側の壁面Ｗ３から突出する支持片５には、ワイヤ２１の一端が固定されており、当該支持片５に接合される端部固定アングル８にワイヤ２１の他端が固定されている。これによって進入部水平材７を左右両側の壁面Ｗ２，Ｗ３から完全に取り外しても進入部水平材７が地上にまで落下することを防止することができる。
【００３３】
なお、図１１から図１４及び図１６においては、受け部９の起立部９３の裏側に配置されて本来視認できないトルク解放レバー付きボルト１６，２０、その他のボルト１３、ナット１４，１５，１９、受け部９の固定側プレート９５及び可動側プレート９６を説明の都合上図示している。
【００３４】
以上のように本実施形態の進入口付きルーバ構造１によると、水平材６のうち開口部４と同じ高さに設けられた進入部水平材７の一端が左側の壁面Ｗ２に着脱可能であり、他端が右側の壁面Ｗ３に取り付けられた水平軸となるトルク解放レバー付きボルト１６に揺動可能であるので、進入部水平材７の一端を壁面Ｗ２から離脱させると、水平軸となるボルト１６を軸として回転し、進入部水平材７の一端側が自重によって下方に移動して、進入部水平材７が傾斜した状態となることで、非常用進入口を確保することができる。このように、比較的簡単な構成で進入部水平材７を強固に支持しつつ、非常時には簡単な操作で非常用進入口を確保することができる。
【００３５】
なお、本発明の実施の形態は上述の形態に限ることなく、本発明の思想の範囲を逸脱しない範囲で適宜変更することができることは云うまでもない。
【産業上の利用可能性】
【００３６】
本発明に係る進入口付きルーバ構造１は、例えば３階建て以上の住宅における非常用進入口として好適に適用することができる。
【符号の説明】
【００３７】
１      進入口付きルーバ構造
３      凹部
４      開口部
５      支持片
７      進入部水平材
１０    プランタ
１１    プランタカバー
１６，２０    トルク解放レバー付きボルト（トルク開放型締結具）
【図１】
2018031228.tif 000003
【図２】
2018031228.tif 000004
【図３】
2018031228.tif 000005
【図４】
2018031228.tif 000006
【図５】
2018031228.tif 000007
【図６】
2018031228.tif 000008
【図７】
2018031228.tif 000009
【図８】
2018031228.tif 000010
【図９】
2018031228.tif 000011
【図１０】
2018031228.tif 000012
【図１１】
2018031228.tif 000013
【図１２】
2018031228.tif 000014
【図１３】
2018031228.tif 000015
【図１４】
2018031228.tif 000016
【図１５】
2018031228.tif 000017
【図１６】
2018031228.tif 000018